(57)【特許請求の範囲】
【請求項１】
エンジンの吸気側に還流されるＥＧＲガスの流量を制御するＥＧＲ制御装置において、
ＥＧＲガスが通過するＥＧＲ流路に配置され、回動することで前記ＥＧＲ流路の開度を調節するとともに、前記ＥＧＲガスの流量が実質的にゼロになる開度範囲であって開度ゼロを含むゼロ流量範囲を、前記エンジンの運転状態に応じて形成する弁体と、
前記弁体に駆動力を与えて回動させるアクチュエータと、
前記エンジンの運転状態に応じて前記ＥＧＲ流路の開度の目標値を算出するとともに、前記ＥＧＲ流路の開度の実値と前記目標値との偏差に応じて、前記アクチュエータに与える指令値を算出する制御手段とを備え、
前記弁体は、前記アクチュエータから駆動力を付与される軸部と、この軸部を中心軸とする対称的な円板状に形成された弁部とを有するバタフライ弁であり、前記アクチュエータから前記軸部に付与された駆動力により前記弁部が回動し、前記弁部の外周が前記ＥＧＲ流路の流路壁に接触して前記弁部の上流側と下流側との間でＥＧＲガスの通過を遮断することで前記ゼロ流量範囲を形成し、
前記制御手段は、前記エンジンの運転中に前記ＥＧＲガスの流量をゼロにする必要が生じた場合に、前記目標値を、前記ゼロ流量範囲に含まれる開度範囲であって開度ゼロよりも閉側の開度範囲であるオーバーターン側ゼロ流量範囲に設定し、前記弁体を開度ゼロに相当する弁位置よりも閉側の弁位置に回動させることで、前記ＥＧＲ流路の開度の実値を、前記オーバーターン側ゼロ流量範囲に移行させることを特徴とするＥＧＲ制御装置。
【請求項２】
エンジンの吸気側に還流されるＥＧＲガスの流量を制御するＥＧＲ制御装置において、
ＥＧＲガスが通過するＥＧＲ流路に配置され、回動することで前記ＥＧＲ流路の開度を調節するとともに、前記ＥＧＲガスの流量が実質的にゼロになる開度範囲であって開度ゼロを含むゼロ流量範囲を、前記エンジンの運転状態に応じて形成する弁体と、
前記弁体に駆動力を与えて回動させるアクチュエータと、
前記エンジンの運転状態に応じて前記ＥＧＲ流路の開度の目標値を算出するとともに、前記ＥＧＲ流路の開度の実値と前記目標値との偏差に応じて、前記アクチュエータに与える指令値を算出する制御手段とを備え、
前記制御手段は、
前記ＥＧＲガスの流量をゼロにする必要が生じた場合に、前記ＥＧＲ流路の開度の実値を、前記ゼロ流量範囲に含まれる開度範囲であって開度ゼロよりも閉側の開度範囲であるオーバーターン側ゼロ流量範囲に移行させ、
前記ＥＧＲ流路の開度の実値を前記オーバーターン側ゼロ流量範囲に移行させた後に、前記ＥＧＲ流路の開度の実値を、前記ゼロ流量範囲に含まれる開度範囲であって開度ゼロよりも開側の開度範囲である実用域側ゼロ流量範囲に移行させることを特徴とするＥＧＲ制御装置。
【請求項３】
請求項２に記載のＥＧＲ制御装置において、
前記制御手段は、
前記ＥＧＲガスの流量をゼロにする必要が生じた場合に、前記エンジンの運転状態に応じて、前記ゼロ流量範囲の閉側の境界値をゼロ流量範囲下限値として算出し、
前記ゼロ流量範囲下限値から開度ゼロまでの開度範囲に含まれる値の中から選択したオーバーターン側選択値を、前記目標値として設定し、前記ＥＧＲ流路の開度の実値と前記オーバーターン側選択値との偏差に応じて、前記指令値を算出することを特徴とするＥＧＲ制御装置。
【請求項４】
エンジンの吸気側に還流されるＥＧＲガスの流量を制御するＥＧＲ制御装置において、
ＥＧＲガスが通過するＥＧＲ流路に配置され、回動することで前記ＥＧＲ流路の開度を調節するとともに、前記ＥＧＲガスの流量が実質的にゼロになる開度範囲であって開度ゼロを含むゼロ流量範囲を、前記エンジンの運転状態に応じて形成する弁体と、
前記弁体に駆動力を与えて回動させるアクチュエータと、
前記エンジンの運転状態に応じて前記ＥＧＲ流路の開度の目標値を算出するとともに、前記ＥＧＲ流路の開度の実値と前記目標値との偏差に応じて、前記アクチュエータに与える指令値を算出する制御手段とを備え、
前記制御手段は、
前記ＥＧＲガスの流量をゼロにする必要が生じた場合に、前記ＥＧＲ流路の開度の実値を、前記ゼロ流量範囲に含まれる開度範囲であって開度ゼロよりも閉側の開度範囲であるオーバーターン側ゼロ流量範囲に移行させるとともに、前記エンジンの運転状態に応じて、前記ゼロ流量範囲の閉側の境界値をゼロ流量範囲下限値として算出し、
前記ゼロ流量範囲下限値から開度ゼロまでの開度範囲に含まれる値の中から選択したオーバーターン側選択値を、前記目標値として設定し、前記ＥＧＲ流路の開度の実値と前記オーバーターン側選択値との偏差に応じて、前記指令値を算出することを特徴とするＥＧＲ制御装置。
【請求項５】
請求項３または請求項４に記載のＥＧＲ制御装置において、
前記制御手段は、前記オーバーターン側選択値として前記ゼロ流量範囲下限値を選択することを特徴とするＥＧＲ制御装置。
【請求項６】
請求項２に記載のＥＧＲ制御装置において、
前記制御手段は、
前記エンジンの運転状態に応じて、前記ゼロ流量範囲の開側の境界値をゼロ流量範囲上限値として算出し、
前記ＥＧＲ流路の開度の実値を前記オーバーターン側ゼロ流量範囲に移行させた後に、前記ゼロ流量範囲上限値を前記目標値として設定することを特徴とするＥＧＲ制御装置。
【請求項７】
エンジンの吸気側に還流されるＥＧＲガスの流量を制御するＥＧＲ制御装置において、
ＥＧＲガスが通過するＥＧＲ流路に配置され、回動することで前記ＥＧＲ流路の開度を調節するとともに、前記ＥＧＲガスの流量が実質的にゼロになる開度範囲であって開度ゼロを含むゼロ流量範囲を、前記エンジンの運転状態に応じて形成する弁体と、
前記弁体に駆動力を与えて回動させるアクチュエータと、
前記エンジンの運転状態に応じて前記ＥＧＲ流路の開度の目標値を算出するとともに、前記ＥＧＲ流路の開度の実値と前記目標値との偏差に応じて、前記アクチュエータに与える指令値を算出する制御手段とを備え、
前記制御手段は、
前記ＥＧＲガスの流量をゼロにする必要が生じた場合に、前記ＥＧＲ流路の開度の実値を、前記ゼロ流量範囲に含まれる開度範囲であって開度ゼロよりも閉側の開度範囲であるオーバーターン側ゼロ流量範囲に移行させるとともに、前記エンジンの運転状態に応じて、前記ゼロ流量範囲の閉側の境界値をゼロ流量範囲下限値として算出し、さらに、前記ゼロ流量範囲の開側の境界値をゼロ流量範囲上限値として算出し、
前記ＥＧＲ流路の開度の実値が、前記ゼロ流量範囲下限値と前記ゼロ流量範囲上限値との間で推移する範囲で、前記指令値を算出する際に用いる演算パラメータを補正することを特徴とするＥＧＲ制御装置。
【請求項８】
請求項２に記載のＥＧＲ制御装置において、
前記制御手段は、
前記ＥＧＲガスの流量をゼロにする必要が生じた場合に、前記エンジンの運転状態に応じて、前記ゼロ流量範囲の閉側の境界値をゼロ流量範囲下限値として算出するとともに、前記ゼロ流量範囲の開側の境界値をゼロ流量範囲上限値として算出し、
前記ＥＧＲ流路の開度の実値が、前記ゼロ流量範囲下限値と前記ゼロ流量範囲上限値との間で推移する範囲で、前記指令値を算出する際に用いる演算パラメータを補正することを特徴とするＥＧＲ制御装置。
【請求項９】
エンジンの吸気側に還流されるＥＧＲガスの流量を制御するＥＧＲ制御装置において、
ＥＧＲガスが通過するＥＧＲ流路に配置され、回動することで前記ＥＧＲ流路の開度を調節するとともに、前記ＥＧＲガスの流量が実質的に最大になる開度範囲であって開度全開を含む最大流量範囲を、前記エンジンの運転状態に応じて形成する弁体と、
前記弁体に駆動力を与えて回動させるアクチュエータと、
前記エンジンの運転状態に応じて前記ＥＧＲ流路の開度の目標値を算出するとともに、前記ＥＧＲ流路の開度の実値と前記目標値との偏差に応じて、前記アクチュエータに与える指令値を算出する制御手段とを備え、
前記制御手段は、前記ＥＧＲガスの流量を最大にする必要が生じた場合に、前記ＥＧＲ流路の開度の実値を、前記最大流量範囲に含まれる開度範囲であって開度全開よりも開側の開度範囲であるオーバーターン側最大流量範囲に移行させることを特徴とするＥＧＲ制御装置。
【請求項１０】
請求項９に記載のＥＧＲ制御装置において、
前記制御手段は、前記ＥＧＲ流路の開度の実値を前記オーバーターン側最大流量範囲に移行させた後に、前記ＥＧＲ流路の開度の実値を、前記最大流量範囲に含まれる開度範囲であって開度全開よりも閉側の開度範囲である実用域側最大流量範囲に移行させることを特徴とするＥＧＲ制御装置。
【発明の詳細な説明】
【技術分野】
【０００１】
本発明は、エンジンの吸気側に還流される排気ガス（ＥＧＲガス）の流量を制御するＥＧＲ制御装置に関する。
【背景技術】
【０００２】
〔従来の技術〕
従来から、排気ガスのエミッションを低減するため、排気ガスの一部をエンジンの吸気側に還流して新気と混合するとともに、還流される排気ガス（ＥＧＲガス）の流量を制御するＥＧＲ制御装置が公知となっている。
【０００３】
ＥＧＲ制御装置は、エンジンの排気側と吸気側とを連通し、ＥＧＲガスを排気側から吸気側へ導くＥＧＲ流路、ＥＧＲ流路に配置され、回動することでＥＧＲ流路の開度（ＥＧＲ開度）を調節する弁体、弁体に駆動力を与えて回動させるアクチュエータ、弁体を閉側に付勢するスプリング、ＥＧＲ開度の目標値を算出するとともに、ＥＧＲ開度の実値と目標値との偏差に応じて、アクチュエータに与える指令値を算出する制御手段等により構成されている。
【０００４】
これにより、ＥＧＲ制御装置は、ＥＧＲ開度の実値を目標値に略一致させることでＥＧＲガスの流量を制御し、エンジンの運転状態に応じて排気ガスのエミッションを低減している。
【０００５】
しかし、ディーゼルエンジン等の直噴型エンジンでは、加速等により燃料の要求量が増大した場合、燃料の供給量の増加に対し空気の供給量の増加は、慣性遅れの影響により遅れてしまう。このため、加速が急であるほど、燃料の供給量の増加に対する空気の供給量の増加の遅れが大きくなり、一時的に燃料の方が過剰になる状態が生じてしまう。このため、急加速時には、排気ガスのエミッションが悪化するという問題がある。
【０００６】
そこで、加速時には、ＥＧＲ流路の開度を強制的にゼロにしたり（例えば、特許文献１参照）、ＥＧＲ流量の減少速度を増加させたりして（特許文献２参照）、できるだけ新気のみにて燃料を燃焼することができるようにする技術が考えられている。
【０００７】
〔従来技術の不具合〕
しかし、特許文献１に記載の技術によれば、ＥＧＲ流路の開度をできるだけ早期にゼロにするため、スプリングによる閉側への付勢力を強くする必要がある。このため、アクチュエータは、弁体を開側に回動させる際に、より強い駆動力を与えなければならなくなり、開側への応答速度が低下する虞がある。さらに、スプリングによる閉側への付勢力が強くなると、全閉時には、より高速で流路壁と弁体の周縁とが接触するため、弁体が破損する虞も高くなる。
【０００８】
また、特許文献２に記載の技術によれば、加速時には、一時的にスロットル弁を全開にし、新気の流量を急増させてＥＧＲガスの流量を急減させる。しかし、ＥＧＲガスの吸気側への還流は完全に停止しないので、エミッションの悪化は、完全には回避されない。
【特許文献１】特開平８−１４４８６７号公報
【特許文献２】特開平９−３１０６３３号公報
【発明の開示】
【発明が解決しようとする課題】
【０００９】
本発明は、上記の問題点を解決するためになされたものであり、その目的は、ＥＧＲ制御装置において、スプリングによる閉側への付勢力を強化することなく、加速時等に弁体の閉側への応答速度を向上させＥＧＲガスの流量を早期にゼロにすることにある。
【課題を解決するための手段】
【００１０】
〔請求項１の手段〕
請求項１に記載のＥＧＲ制御装置は、エンジンの吸気側に還流されるＥＧＲガスの流量（ＥＧＲ流量）を制御するものである。このＥＧＲ制御装置は、ＥＧＲガスが通過するＥＧＲ流路に配置され、回動することでＥＧＲ流路の開度（ＥＧＲ開度）を調節するとともに、ＥＧＲ流量が実質的にゼロになる開度範囲であって開度ゼロを含むゼロ流量範囲を、エンジンの運転状態に応じて形成する弁体と、弁体に駆動力を与えて回動させるアクチュエータと、エンジンの運転状態に応じてＥＧＲ開度の目標値を算出するとともに、ＥＧＲ開度の実値と目標値との偏差に応じて、アクチュエータに与える指令値を算出する制御手段とを備える。
また、弁体は、アクチュエータから駆動力を付与される軸部と、軸部を中心軸とする対称的な円板状に形成された弁部とを有するバタフライ弁であり、アクチュエータから軸部に付与された駆動力により弁部が回動し、弁部の外周がＥＧＲ流路の流路壁に接触して弁部の上流側と下流側との間でＥＧＲガスの通過を遮断することでゼロ流量範囲を形成する。そして、制御手段は、エンジンの運転中にＥＧＲ流量をゼロにする必要が生じた場合に、目標値を、ゼロ流量範囲に含まれる開度範囲であって開度ゼロよりも閉側の開度範囲であるオーバーターン側ゼロ流量範囲に設定し、弁体を開度ゼロに相当する弁位置よりも閉側の弁位置に回動させることで、ＥＧＲ開度の実値を、オーバーターン側ゼロ流量範囲に移行させる。
【００１１】
ＥＧＲ開度の実値を開度ゼロよりも閉側の開度範囲に移行させることで、ＥＧＲ開度の実値を開度ゼロに移行させる場合よりも早期に、弁体に開度ゼロの状態を通過させることができる。このため、スプリングによる閉側への付勢力を強化しなくても、弁体の閉側への応答速度を上げることができる。また、移行先をオーバーターン側ゼロ流量範囲とすることで、移行後のＥＧＲ流量を確実にゼロにすることができる。以上により、スプリングによる閉側への付勢力を強化しなくても、加速時等における弁体の閉側への応答速度を向上させて、ＥＧＲ流量を早期にゼロにすることができるとともに、ＥＧＲ流量をゼロに維持することができる。
【００１２】
〔請求項２の手段〕
請求項２に記載のＥＧＲ制御装置によれば、制御手段は、ＥＧＲ開度の実値をオーバーターン側ゼロ流量範囲に移行させた後に、ＥＧＲ開度の実値を、ゼロ流量範囲に含まれる開度範囲であって開度ゼロよりも開側の開度範囲である実用域側ゼロ流量範囲に移行させる。
これにより、弁体は、ＥＧＲ流量をゼロに維持したまま、次の開側への移行指令に対して、より早期に対応できる位置に移行される。このため、加速後、通常の制御に戻った際に、弁体の開側への応答時間を短縮できる。
【００１３】
〔請求項３および請求項４の手段〕
請求項３および請求項４に記載のＥＧＲ制御装置によれば、制御手段は、ＥＧＲ流量をゼロにする必要が生じた場合に、エンジンの運転状態に応じて、ゼロ流量範囲の閉側の境界値をゼロ流量範囲下限値として算出し、ゼロ流量範囲下限値から開度ゼロまでの開度範囲に含まれる値の中から選択したオーバーターン側選択値を、目標値として設定し、ＥＧＲ開度の実値とオーバーターン側選択値との偏差に応じて、指令値を算出する。
この手段は、ＥＧＲ開度の実値をオーバーターン側ゼロ流量範囲に移行させる手段の一形態を示すものである。通常、ＥＧＲ流量をゼロにする必要が生じた場合、ＥＧＲ開度の目標値は開度ゼロに設定される。これに対し、この手段では、目標値をオーバーターン側選択値に設定することで、目標値を開度ゼロに設定する場合よりも早期にＥＧＲ流量をゼロにする。
【００１４】
〔請求項５の手段〕
請求項５に記載のＥＧＲ制御装置によれば、制御手段は、オーバーターン側選択値としてゼロ流量範囲下限値を選択する。
この手段は、オーバーターン側選択値の一形態を示すものである。オーバーターン側選択値をゼロ流量範囲下限値とすることで、ＥＧＲ開度における実値と目標値との偏差を最大にすることができるので、最も早期にＥＧＲ流量をゼロにすることができる。
【００１５】
〔請求項６の手段〕
請求項６に記載のＥＧＲ制御装置によれば、制御手段は、エンジンの運転状態に応じて、ゼロ流量範囲の開側の境界値をゼロ流量範囲上限値として算出し、ＥＧＲ開度の実値をオーバーターン側ゼロ流量範囲に移行させた後に、ゼロ流量範囲上限値を目標値として設定する。
この手段は、ＥＧＲ開度の実値を、オーバーターン側ゼロ流量範囲に移行させた後に、実用域側ゼロ流量範囲に移行させる手段の一形態を示すものである。ゼロ流量範囲上限値を目標値として設定し、ＥＧＲ開度の実値をゼロ流量範囲上限値に移行させておけば、加速後、通常の制御に戻り開側の目標値が設定された場合に、実値と目標値との偏差は最小になる。このため、加速後、通常の制御に戻った場合に、ＥＧＲ開度の実値を、最も行き過ぎが少なく、かつ最も早期に開側の目標値に到達させることができる。
【００１６】
〔請求項７および請求項８の手段〕
請求項７および請求項８に記載のＥＧＲ制御装置によれば、制御手段は、ＥＧＲ流量をゼロにする必要が生じた場合に、エンジンの運転状態に応じてゼロ流量範囲下限値およびゼロ流量範囲上限値を算出し、ＥＧＲ開度の実値がゼロ流量範囲下限値とゼロ流量範囲上限値との間で推移する範囲で、指令値を算出する際に用いる演算パラメータを補正する。
この手段は、ＥＧＲ開度の実値をオーバーターン側ゼロ流量範囲に移行させる手段の一形態を示すものである。これにより、ＥＧＲ流量をゼロにする必要が生じた場合には、演算パラメータ（例えば、偏差にＰＩＤの演算を施すためのＰ値、Ｉ値、Ｄ値等）を、通常の値よりもオーバーアクションとなる数値に補正することができる。このため、通常の値をそのまま用いて指令値を算出する場合よりも、早期にＥＧＲ流量をゼロにすることができる。
【００１７】
〔請求項９の手段〕
請求項９に記載のＥＧＲ制御装置は、ＥＧＲガスが通過するＥＧＲ流路に配置され、回動することでＥＧＲ開度を調節するとともに、ＥＧＲ流量が実質的に最大になる開度範囲であって開度全開を含む最大流量範囲を、エンジンの運転状態に応じて形成する弁体と、弁体に駆動力を与えて回動させるアクチュエータと、エンジンの運転状態に応じてＥＧＲ開度の目標値を算出するとともに、ＥＧＲ開度の実値と目標値との偏差に応じて、アクチュエータに与える指令値を算出する制御手段とを備える。そして、制御手段は、ＥＧＲ流量を最大にする必要が生じた場合に、ＥＧＲ開度の実値を、最大流量範囲に含まれる開度範囲であって開度全開よりも開側の開度範囲であるオーバーターン側最大流量範囲に移行させる。
【００１８】
ＥＧＲ開度の実値を開度全開よりも開側の開度範囲に移行させることで、ＥＧＲ開度の実値を開度全開に移行させる場合よりも早期に、弁体に開度全開の状態を通過させることができる。このため、弁体の開側への応答速度を上げることができる。また、移行先をオーバーターン側最大流量範囲とすることで、移行後のＥＧＲ流量を確実に最大にすることができる。以上により、ＥＧＲ開度の実値をオーバーターン側最大流量範囲に移行させれば、ＥＧＲ開度の実値を開度全開に移行させる場合よりも早期にＥＧＲ流量を最大にすることができるとともに、ＥＧＲ流量を最大に維持することができる。
【００１９】
〔請求項１０の手段〕
請求項１０に記載のＥＧＲ制御装置によれば、制御手段は、ＥＧＲ開度の実値をオーバーターン側最大流量範囲に移行させた後に、ＥＧＲ開度の実値を、最大流量範囲に含まれる開度範囲であって開度全開よりも閉側の開度範囲である実用域側最大流量範囲に移行させる。
これにより、弁体は、ＥＧＲ流量を最大に維持したまま、次の閉側への移行指令に対して、より早期に対応できる状態に移行される。このため、次の移行指令における目標値に到達する応答時間を短縮できる。
【発明を実施するための最良の形態】
【００２０】
最良の形態１のＥＧＲ制御装置は、エンジンの吸気側に還流されるＥＧＲガスの流量（ＥＧＲ流量）を制御するものである。このＥＧＲ制御装置は、ＥＧＲガスが通過するＥＧＲ流路に配置され、回動することでＥＧＲ流路の開度（ＥＧＲ開度）を調節するとともに、ＥＧＲ流量が実質的にゼロになる開度範囲であって開度ゼロを含むゼロ流量範囲を、エンジンの運転状態に応じて形成する弁体と、弁体に駆動力を与えて回動させるアクチュエータと、エンジンの運転状態に応じてＥＧＲ開度の目標値を算出するとともに、ＥＧＲ開度の実値と目標値との偏差に応じて、アクチュエータに与える指令値を算出する制御手段とを備える。
【００２１】
そして、制御手段は、ＥＧＲ流量をゼロにする必要が生じた場合に、ＥＧＲ開度の実値を、ゼロ流量範囲に含まれる開度範囲であって開度ゼロよりも閉側の開度範囲であるオーバーターン側ゼロ流量範囲に移行させる。
このとき、制御手段は、エンジンの運転状態に応じて、ゼロ流量範囲の閉側の境界値をゼロ流量範囲下限値として算出し、ゼロ流量範囲下限値から開度ゼロまでの開度範囲に含まれる値の中から選択したオーバーターン側選択値を、目標値として設定し、ＥＧＲ開度の実値とオーバーターン側選択値との偏差に応じて、指令値を算出する。
なお、制御手段は、オーバーターン側選択値としてゼロ流量範囲下限値を選択する。
【００２２】
また、制御手段は、ＥＧＲ開度の実値をオーバーターン側ゼロ流量範囲に移行させた後に、ＥＧＲ開度の実値を、ゼロ流量範囲に含まれる開度範囲であって開度ゼロよりも開側の開度範囲である実用域側ゼロ流量範囲に移行させる。
このとき、制御手段は、エンジンの運転状態に応じて、ゼロ流量範囲の開側の境界値をゼロ流量範囲上限値として算出し、ＥＧＲ開度の実値をオーバーターン側ゼロ流量範囲に移行させた後に、ゼロ流量範囲上限値を目標値として設定する。
【００２３】
最良の形態２のＥＧＲ制御装置によれば、制御手段は、ＥＧＲ流量をゼロにする必要が生じた場合に、エンジンの運転状態に応じてゼロ流量範囲下限値およびゼロ流量範囲上限値を算出し、ＥＧＲ開度の実値がゼロ流量範囲下限値とゼロ流量範囲上限値との間で推移する範囲で、指令値を算出する際に用いる演算パラメータを補正する。
【００２４】
最良の形態３のＥＧＲ制御装置は、ＥＧＲ流路に配置され、回動することでＥＧＲ開度を調節するとともに、ＥＧＲ流量が実質的に最大になる開度範囲であって開度全開を含む最大流量範囲を、エンジンの運転状態に応じて形成する弁体と、弁体に駆動力を与えて回動させるアクチュエータと、エンジンの運転状態に応じてＥＧＲ開度の目標値を算出するとともに、ＥＧＲ開度の実値と目標値との偏差に応じて、アクチュエータに与える指令値を算出する制御手段とを備える。
【００２５】
そして、制御手段は、ＥＧＲ流量を最大にする必要が生じた場合に、ＥＧＲ開度の実値を、最大流量範囲に含まれる開度範囲であって開度全開よりも開側の開度範囲であるオーバーターン側最大流量範囲に移行させる。
また、制御手段は、ＥＧＲ開度の実値をオーバーターン側最大流量範囲に移行させた後に、ＥＧＲ開度の実値を、最大流量範囲に含まれる開度範囲であって開度全開よりも閉側の開度範囲である実用域側最大流量範囲に移行させる。
【実施例１】
【００２６】
〔実施例１の構成〕
実施例１のＥＧＲ制御装置１の構成を、図１ないし図５を用いて説明する。
ＥＧＲ制御装置１は、排気ガスのエミッションを低減するため、排気ガスの一部をエンジン２の吸気ライン３に還流して新気と混合するとともに、還流される排気ガス（ＥＧＲガス）の流量を制御するものである。
【００２７】
ＥＧＲ制御装置１は、図１に示すように、エンジン２への排気ライン４と吸気ライン３とを連通し、ＥＧＲガスを排気ライン４から吸気ライン３へ導くＥＧＲ流路５、ＥＧＲ流路５に配置され、回動することでＥＧＲ流路５の開度（ＥＧＲ開度）を調節する弁体６（以下、ＥＧＲ弁６と呼ぶ）、ＥＧＲ弁６に駆動力を与えて回動させるアクチュエータ７、ＥＧＲ弁６を閉側に付勢するスプリング（図示せず）、ＥＧＲ開度の目標値を算出するとともに、ＥＧＲ開度における検出値と目標値との偏差に応じて、アクチュエータ７に与える指令値を算出する制御手段８等により構成されている。
【００２８】
なお、エンジン２は、インジェクタ１１により燃焼室１２に燃料が直接噴射される直噴型エンジンである。また、燃焼室１２に供給される空気は、エアクリーナ１３、過給器１４、インタークーラ１５およびスロットル弁１６を経由し吸気ライン３を通じて供給される新気と、ＥＧＲ弁６を経由しＥＧＲ流路５から吸気ライン３に供給されるＥＧＲガスとが混合されたものである。また、燃焼室１２から排出される排気ガスは、過給器１４および排気浄化装置１７を経由し排気ライン４を通じて排気される。そして、排気ガスの一部が、ＥＧＲ流路５を通じて吸気ライン３に供給されるＥＧＲガスとなる。
【００２９】
ＥＧＲ弁６は、図２に示すように、アクチュエータ７から図示しないリンク機構を介して駆動力を付与される軸部２０と、軸部２０を中心軸とする対称的な円板状に形成された弁部２１と、弁部２１の外周に装着され、開度ゼロ近傍のＥＧＲ開度範囲で流路壁に接触して排気ガスが吸気ライン３に漏出するのを防止するシールリング２２とを有する。そして、ＥＧＲ弁６は、アクチュエータ７から与えられる駆動力により回動して弁位置を変え、ＥＧＲ開度を可変する。なお、開度ゼロとは、弁位置が全閉位置であるときのＥＧＲ開度である。
【００３０】
ここで、シールリング２２は、ＥＧＲ開度に応じて、流路壁に接触することで生じる当接力（つまり、シールリング２２が流路壁を押圧する力）を可変する。そして、この当接力は、開度ゼロにおいて最大となり、ＥＧＲ開度が開度ゼロから開側または閉側に向かうにつれて漸減し、シールリング２２が流路壁に接触しなくなるとゼロになる。なお、この当接力は、後記するゼロ流量範囲の形成に大きく係わる。
【００３１】
また、ＥＧＲ開度は、ＥＧＲ弁６の所定の弁位置を基準とする角度として示されるものであり、上記のごとく、弁位置が全閉位置であるときのＥＧＲ開度が開度ゼロとされる。また、弁位置が全開位置、つまり、ＥＧＲ流路５の開口面積が最大になっているときのＥＧＲ開度が、開度全開とされる。そして、開度ゼロと開度全開との間のＥＧＲ開度範囲が、ＥＧＲ開度における検出値と目標値との偏差に応じて通常のＥＧＲ開度の操作が行われる実用域をなす（以下、「ＥＧＲ開度範囲」を単に「開度範囲」と呼ぶ）。また、開度ゼロよりも閉側の開度範囲および開度全開よりも開側の開度範囲は、実用域を超えてＥＧＲ弁６が回動するオーバーターン域をなす。
【００３２】
また、ＥＧＲ流量は、図３に示すように、例えば、ＥＧＲ開度や、ＥＧＲ弁６の上流側と下流側との差圧（以下、ＥＧＲ弁前後差圧と呼ぶ）に応じて変動する。すなわち、ＥＧＲ流量は、実用域においてＥＧＲ開度が開度ゼロから開度全開に向かうにつれて、ゼロから最大まで増加する。なお、ＥＧＲ流量は、開度ゼロよりも閉側のオーバーターン域において、ＥＧＲ開度が閉側に向かうにつれてゼロから増加し、開度全開よりも開側のオーバーターン域において、ＥＧＲ開度が開側に向かうにつれて最大から減少する。また、ＥＧＲ流量は、ＥＧＲ弁前後差圧が大きいほど多くなる。
【００３３】
また、ＥＧＲ弁６は、ＥＧＲ流量が実質的にゼロになる開度範囲であって開度ゼロを含むゼロ流量範囲、および、ＥＧＲ流量が実質的に最大になる開度範囲であって開度全開を含む最大流量範囲を、ＥＧＲ弁前後差圧に応じて形成する。そして、ゼロ流量範囲および最大流量範囲は、ＥＧＲ弁前後差圧が大きいほど狭くなる。なお、本実施例のゼロ流量範囲および最大流量範囲は、ＥＧＲ弁前後差圧に応じて形成されているが、ＥＧＲ弁前後差圧以外にも、他のエンジン２の運転状態を示すパラメータにより開度範囲を変えて形成される。
【００３４】
ゼロ流量範囲は、開度ゼロよりも閉側の開度範囲であるオーバーターン側ゼロ流量範囲と、開度ゼロよりも開側の開度範囲である実用域側ゼロ流量範囲とに区分される。ここで、ゼロ流量範囲の両端をなす２つの境界値について、閉側の境界値をゼロ流量範囲下限値と呼び、開側の境界値をゼロ流量範囲上限値と呼ぶ。そして、ゼロ流量範囲下限値とゼロ流量範囲上限値との中間値が、実質的に、開度ゼロに相当する。さらに厳密には、この開度ゼロの弁位置（すなわち、全閉位置）は、ゼロ流量範囲において最もＥＧＲ流量が小さくなるＥＧＲ開度である。
【００３５】
最大流量範囲は、開度全開よりも開側の開度範囲であるオーバーターン側最大流量範囲と、開度全開よりも閉側の開度範囲である実用域側最大流量範囲とに区分される。ここで、最大流量範囲の両端をなす２つの境界値について、開側の境界値を最大流量範囲上限値と呼び、閉側の境界値を最大流量範囲下限値と呼ぶ。そして、最大流量範囲下限値と最大流量範囲上限値との中間値が、実質的に、開度全開に相当する。さらに厳密には、この開度全開の弁位置（すなわち、全開位置）は、最大流量範囲において最もＥＧＲ流量が大きくなるＥＧＲ開度である。
【００３６】
アクチュエータ７は、例えば、通電を受けてトルクを発生することで、ＥＧＲ弁６に駆動力を与える周知の電動モータである。なお、アクチュエータ７への通電は、制御手段８を介して実行される（以下、アクチュエータ７をＥＧＲモータ７とする）。
【００３７】
制御手段８は、ＥＧＲモータ７等の各種のアクチュエータに与える指令値を算出するとともに、この指令値に基づき制御信号を合成するマイコン（図示せず）と、この制御信号の入力を受けて各種のアクチュエータへの通電を実行する各種の駆動回路（図示せず）等により構成されている。
【００３８】
マイコンは、制御処理および演算処理を行うＣＰＵ、各種のプログラムおよびデータを記憶するＲＯＭ、ＲＡＭ等の記憶回路、入力回路、出力回路等により構成される周知構造のコンピュータである。
【００３９】
そして、マイコンは、ＥＧＲ開度を検出するＥＧＲ開度センサ２４やその他の各種センサ（例えば、クランク角センサ２５、カム角センサ２６、冷却水温センサ２７、吸気量センサ２８、吸気温センサ２９、吸気圧センサ３０、排気酸素濃度センサ３１、アクセル開度センサ３２等）から検出信号の入力を受けて、ＥＧＲ開度等の各種の検出値を求め、エンジン２の運転状態を把握する。そして、マイコンは、これらの検出値に基づきＥＧＲモータ７等の各種のアクチュエータに与える指令値を算出する。
【００４０】
そして、マイコンは、ＥＧＲ流量の制御に関し、排気酸素濃度における検出値と目標値との偏差に応じてＥＧＲ開度の目標値を算出し、ＥＧＲ開度における検出値と目標値との偏差に応じてＥＧＲモータ７に与える指令値を算出する。この指令値は、ＥＧＲモータ７への通電を実行する駆動回路（ＥＧＲ駆動回路）に出力される制御信号のデューティ比の値（デューティ値）であり、ＥＧＲモータ７への通電量に相当するものである。そして、マイコンは、算出したデューティ値の制御信号を合成してＥＧＲ駆動回路に出力し、ＥＧＲ駆動回路は、この制御信号の入力を受けてＥＧＲモータ７への通電を実行する。これにより、ＥＧＲ開度において検出値が目標値に略一致する。
【００４１】
以上のようにして、ＥＧＲ制御装置１は、ＥＧＲ流量を制御して、排気ガスのエミッションを低減している。
【００４２】
〔実施例１の特徴〕
ＥＧＲ制御装置１は、ＥＧＲ流量の制御に関し、以下に述べる特徴を有する。
まず、マイコンは、ＥＧＲ流量をゼロにする必要が生じた場合に、ＥＧＲ開度の検出値を、オーバーターン側ゼロ流量範囲に移行させる。このとき、マイコンは、エンジン２の運転状態に応じてゼロ流量範囲下限値を算出するとともに、ゼロ流量範囲下限値から開度ゼロまでの開度範囲に含まれる値の中から選択したオーバーターン側選択値を、ＥＧＲ開度の目標値として設定し、ＥＧＲ開度の検出値とオーバーターン側選択値との偏差に応じてデューティ値を算出する。なお、以下の説明では、マイコンが選択したオーバーターン側選択値は、ゼロ流量範囲下限値そのものとする。
【００４３】
また、マイコンは、ＥＧＲ開度の検出値をオーバーターン側ゼロ流量範囲に移行させた後に、ＥＧＲ開度の検出値を、実用域側ゼロ流量範囲に移行させる。このとき、マイコンは、予め、エンジン２の運転状態に応じてゼロ流量範囲上限値を算出しておき、ＥＧＲ開度の検出値をオーバーターン側ゼロ流量範囲に移行させた後に、ゼロ流量範囲上限値をＥＧＲ開度の目標値として設定し、ＥＧＲ開度の検出値とゼロ流量範囲上限値との偏差に応じてデューティ値を算出する。
【００４４】
〔実施例１の制御方法〕
実施例１のＥＧＲ制御装置１による制御方法を、図４に示すフローチャートを用いて説明する。
まず、ステップＳ１で、ＥＧＲ流量をゼロにする必要が生じたか否かが判定される。そして、ＥＧＲ流量をゼロにする必要が生じていれば（ＹＥＳ）、ステップＳ２に進み、ＥＧＲ流量をゼロにする必要が生じていなければ（ＮＯ）、このフローは終了する。
【００４５】
次に、ステップＳ２で、ゼロ流量範囲下限値およびゼロ流量範囲上限値を算出し、ステップＳ３で、ＥＧＲ開度の目標値をゼロ流量範囲下限値に設定してＥＧＲモータ７を駆動制御する。これにより、ＥＧＲ開度の検出値は、閉側への移行を始め、開度ゼロを超えてオーバーターン側ゼロ流量範囲に移行する。そして、ステップＳ４で、ＥＧＲ開度の検出値が開度ゼロを閉側に超えたか否かが判定され、ＥＧＲ開度の検出値が開度ゼロを超えていれば（ＹＥＳ）、ステップＳ５に進み、ＥＧＲ開度の検出値が開度ゼロを超えていなければ（ＮＯ）、ステップＳ３に戻る。
【００４６】
次に、ステップＳ５で、ＥＧＲ開度の目標値をゼロ流量範囲上限値に設定してＥＧＲモータ７を駆動制御する。これにより、ＥＧＲ開度の検出値は、開側への移行を始め、開度ゼロを超えて実用域側ゼロ流量範囲に移行するとともに、ゼロ流量範囲上限値に略一致する。そして、ステップＳ６で、ＥＧＲ開度の検出値がゼロ流量範囲上限値に略一致しているか否かが判定され、ＥＧＲ開度の検出値がゼロ流量範囲上限値に略一致していれば（ＹＥＳ）、このフローは終了し、ＥＧＲ開度の検出値がゼロ流量範囲上限値に略一致していなければ（ＮＯ）、ステップＳ５に戻る。
【００４７】
〔実施例１の作用〕
実施例１のＥＧＲ制御装置１の作用を、図５に示すタイムチャートを用いて説明する。
まず、時間ｔ０において、乗員がアクセルを踏み込んで急加速が行われると、排気ガスのエミッションの悪化を阻止するため、ＥＧＲ流量をゼロにする必要が生じる。これにより、ＥＧＲ開度の目標値は、ゼロ流量範囲下限値に設定され、ＥＧＲ開度の検出値は、閉側への移行を始め、目標値を開度ゼロに設定する場合よりも早期に、時間ｔ１において、開度ゼロを超えてオーバーターン側ゼロ流量範囲に移行する。
【００４８】
この結果、時間ｔ１において、ＥＧＲ開度の目標値は、ゼロ流量範囲上限値に設定される。そして、ＥＧＲ開度の検出値は、この設定に遅れて開側への移行を始め、開度ゼロを超えて実用域側ゼロ流量範囲に移行する。やがて、ＥＧＲ開度の検出値は、ゼロ流量範囲上限値に略一致する。
その後、時間ｔ２において、ＥＧＲ流量をゼロにする必要がなくなると、ＥＧＲ開度の目標値は、エンジン２の運転状態に応じて算出された値に設定される。そして、ＥＧＲ開度の検出値は、この新たな目標値に向けて移行を始め、やがて、この目標値に略一致する。
【００４９】
〔実施例１の効果〕
実施例１のＥＧＲ制御装置１によれば、マイコンは、ＥＧＲ流量をゼロにする必要が生じた場合に、ＥＧＲ開度の目標値をゼロ流量範囲下限値に設定してＥＧＲモータ７の駆動制御を行い、ＥＧＲ開度の検出値をオーバーターン側ゼロ流量範囲に移行させる。
ＥＧＲガスの流量をゼロにする必要が生じた場合に、ＥＧＲ開度の目標値をゼロ流量範囲下限値とすることで、ＥＧＲ開度における検出値と目標値との偏差を最大にすることができる。このため、従来のようにＥＧＲ開度の目標値を開度ゼロに設定する場合よりも、ＥＧＲ弁６の閉側への応答速度を上げることができる。この結果、スプリングによる閉側への付勢力を強化しなくても、早期にＥＧＲ開度をゼロにすることができ、かつ、早期にＥＧＲ流量をゼロにすることができる（図５（ｂ）、（ｃ）参照）。また、ＥＧＲ開度の移行先をオーバーターン側ゼロ流量範囲とすることで、移行後のＥＧＲ流量を確実にゼロにすることができる。
以上により、ＥＧＲ制御装置１において、スプリングによる閉側への付勢力を強化しなくても、加速時等にＥＧＲ弁６の閉側への応答速度を向上させて、ＥＧＲ流量を早期にゼロにすることができる。
【００５０】
また、マイコンは、ＥＧＲ開度の検出値をオーバーターン側ゼロ流量範囲に移行させた後に、ゼロ流量範囲上限値をＥＧＲ開度の目標値として設定して、ＥＧＲ開度の検出値を実用域側ゼロ流量範囲に移行させる。
ゼロ流量範囲上限値をＥＧＲ開度の目標値として設定し、ＥＧＲ開度の検出値をゼロ流量範囲上限値に移行させておけば、加速後、通常の制御に戻り実用域の新たな目標値が設定された場合に、ＥＧＲ開度における検出値と目標値との偏差は最小になる。このため、通常の制御に戻った場合に、ＥＧＲ開度の検出値を、最も行き過ぎが少なく、かつ最も早期に新たな目標値に到達させることができる。
【実施例２】
【００５１】
〔実施例２の特徴〕
実施例２のＥＧＲ制御装置１によれば、マイコンは、ＥＧＲ流量をゼロにする必要が生じた場合に、ＥＧＲモータ７に与える指令値を算出する際に用いる演算パラメータを補正する。ここで、補正される演算パラメータは、ＥＧＲ開度における検出値と目標値との偏差にＰＩＤ演算を施す際に用いられるＰ値およびＩ値である。そして、Ｐ値およびＩ値は、ＥＧＲ開度の応答が通常の値の場合よりもオーバーアクションとなるように補正される。
【００５２】
また、この補正を行う際に、マイコンは、エンジン２の運転状態に応じてゼロ流量範囲下限値およびゼロ流量範囲上限値を予め算出しておく。そして、マイコンは、ＥＧＲ開度の検出値がオーバーアクションし過ぎてゼロ流量範囲から外れないように、Ｐ値およびＩ値を補正する。つまり、マイコンは、ＥＧＲ開度の検出値がゼロ流量範囲下限値とゼロ流量範囲上限値との間で推移する範囲で、Ｐ値およびＩ値を補正する。
【００５３】
〔実施例２の制御方法〕
実施例２のＥＧＲ制御装置１による制御方法を、図６に示すフローチャートを用いて説明する。
まず、ステップＳ１１で、ＥＧＲ流量をゼロにする必要が生じたか否かが判定される。そして、ＥＧＲ流量をゼロにする必要が生じていれば（ＹＥＳ）、ステップＳ１２に進み、ＥＧＲ流量をゼロにする必要が生じていなければ（ＮＯ）、このフローは終了する。
【００５４】
次に、ステップＳ１２で、ゼロ流量範囲下限値およびゼロ流量範囲上限値を算出し、ステップＳ１３で、Ｐ値およびＩ値を補正する。この補正は、ゼロ流量範囲下限値およびゼロ流量範囲上限値に応じて行われ、Ｐ値およびＩ値は、ＥＧＲ開度の検出値がオーバーアクションによりゼロ流量範囲から外れないような値に補正される。そして、補正後のＰ値およびＩ値を用いて、ＥＧＲモータ７の駆動制御が行われる。
【００５５】
〔実施例２の作用〕
実施例２のＥＧＲ制御装置１の作用を、図７に示すタイムチャートを用いて説明する。
まず、時間ｔ０において、乗員がアクセルを踏み込んで急加速が行われると、排気ガスのエミッションの悪化を阻止するため、ＥＧＲ流量をゼロにする必要が生じる。これにより、ＥＧＲ開度の目標値は開度ゼロに設定されるとともに、Ｐ値およびＩ値が、ゼロ流量範囲下限値およびゼロ流量範囲上限値に応じて補正される。
【００５６】
これにより、比例ゲインおよび積分ゲインは、Ｐ値およびＩ値が通常の値である場合と異なる挙動を示しながら推移する。ここで、比例ゲインとは、Ｐ値を用いて、ＥＧＲ開度における検出値と目標値との偏差に比例演算を施すことで算出される数値であり、積分ゲインとは、Ｉ値を用いて、ＥＧＲ開度における検出値と目標値との偏差に積分演算を施すことで算出される数値である。そして、特に、Ｐ値が補正され、比例ゲインの傾きが通常の値の場合よりも急激になることで、ＥＧＲ開度の検出値におけるオーバーアクションが達成される。これにより、ＥＧＲ開度の検出値は、通常の値の場合よりも早期に、時間ｔ１’において、開度ゼロを超えてオーバーターン側ゼロ流量範囲に移行する。
【００５７】
その後、時間ｔ２’において、ＥＧＲ流量をゼロにする必要がなくなりＥＧＲ開度の目標値が実用域側の値に設定されると、Ｐ値およびＩ値は通常の値に戻る。そして、ＥＧＲ開度の検出値は、新たな目標値に向けて移行を始め、やがて、この目標値に略一致する。
【００５８】
〔実施例２の効果〕
実施例２のＥＧＲ制御装置１によれば、制御手段８は、ＥＧＲ流量をゼロにする必要が生じた場合に、Ｐ値およびＩ値を、ＥＧＲ開度の応答が通常の値の場合よりもオーバーアクションとなるように補正する。
これにより、ＥＧＲ流量をゼロにする必要が生じた場合に、ＥＧＲ開度の検出値は、Ｐ値およびＩ値が通常の値である場合よりも早期に、開度ゼロを超えてオーバーターン側ゼロ流量範囲に移行する。このため、スプリングによる閉側への付勢力を強化しなくても、加速時等におけるＥＧＲ弁６の応答速度を向上させて、ＥＧＲ流量を早期にゼロにすることができる。
【実施例３】
【００５９】
〔実施例３の特徴〕
実施例３のＥＧＲ制御装置１によれば、マイコンは、ＥＧＲ流量を最大にする必要が生じた場合に、ＥＧＲ開度の検出値をオーバーターン側最大流量範囲に移行させる。このとき、マイコンは、エンジン２の運転状態に応じて最大流量範囲上限値を算出するとともに、この最大流量範囲上限値をＥＧＲ開度の目標値として設定し、ＥＧＲ開度の検出値と最大流量範囲上限値との偏差に応じてデューティ値を算出する。
【００６０】
また、マイコンは、ＥＧＲ開度の検出値をオーバーターン側最大流量範囲に移行させた後に、ＥＧＲ開度の検出値を、実用域側最大流量範囲に移行させる。このとき、マイコンは、予め、エンジン２の運転状態に応じて最大流量範囲下限値を算出しておき、ＥＧＲ開度の検出値をオーバーターン側最大流量範囲に移行させた後に、最大流量範囲下限値をＥＧＲ開度の目標値として設定し、ＥＧＲ開度の検出値と最大流量範囲下限値との偏差に応じてデューティ値を算出する。
【００６１】
〔実施例３の効果〕
実施例３のＥＧＲ制御装置１によれば、マイコンは、ＥＧＲ流量を最大にする必要が生じた場合に、ＥＧＲ開度の目標値を最大流量範囲上限値に設定してＥＧＲモータ７の駆動制御を行い、ＥＧＲ開度の検出値をオーバーターン側最大流量範囲に移行させる。
これにより、ＥＧＲ流量を最大にする必要が生じた場合に、ＥＧＲ開度の目標値を開度全開に設定してＥＧＲモータ７を駆動制御する場合よりも早期に、ＥＧＲ弁６に開度全開の状態を通過させることができる。このため、ＥＧＲ弁６の開側への応答速度を上げることができる。また、移行先をオーバーターン側最大流量範囲とすることで、移行後のＥＧＲ流量を確実に最大にすることができる。以上により、ＥＧＲ制御装置１において、ＥＧＲ弁６の開側への応答速度を向上させて、ＥＧＲ流量を早期に最大にすることができる。
【００６２】
また、マイコンは、ＥＧＲ開度の検出値をオーバーターン側最大流量範囲に移行させた後に、最大流量範囲下限値をＥＧＲ開度の目標値として設定して、ＥＧＲ開度の検出値を実用域側最大流量範囲に移行させる。
最大流量範囲下限値を目標値として設定し、ＥＧＲ開度の検出値を最大流量範囲下限値に移行させておけば、通常の制御に戻り実用域の新たな目標値が設定された場合に、ＥＧＲ開度における検出値と目標値との偏差は最小になる。このため、通常の制御に戻った場合に、ＥＧＲ開度の検出値を、最も行き過ぎが少なく、かつ最も早期に新たな目標値に到達させることができる。
【００６３】
〔変形例〕
実施例１のＥＧＲ制御装置１によれば、マイコンは、ＥＧＲ流量をゼロにする必要が生じた場合に、ＥＧＲ開度の目標値をゼロ流量範囲下限値に設定したが、ＥＧＲ開度の目標値を他のオーバーターン側選択値に設定してもよい。また、マイコンは、ＥＧＲ開度の検出値を、再度、実用域側ゼロ流量範囲に移行させるときに、ゼロ流量範囲上限値をＥＧＲ開度の目標値に設定したが、開度ゼロとゼロ流量範囲上限値との間のいずれかの値にＥＧＲ開度の目標値を設定してもよい。
【００６４】
また、実施例３のＥＧＲ制御装置１によれば、マイコンは、ＥＧＲ流量を最大にする必要が生じた場合に、ＥＧＲ開度の目標値を最大流量範囲上限値に設定したが、開度全開と最大流量範囲上限値との間のいずれかの値にＥＧＲ開度の目標値を設定してもよい。また、マイコンは、ＥＧＲ開度の検出値を、再度、実用域側最大流量範囲に移行させるときに、最大流量範囲下限値をＥＧＲ開度の目標値に設定したが、開度全開と最大流量範囲下限値との間のいずれかの値にＥＧＲ開度の目標値を設定してもよい。
【００６５】
また、ＥＧＲ弁６のゼロ流量範囲および最大流量範囲の開度範囲は、ＥＧＲ弁６の周囲に付着するデポジットの堆積により影響を受ける。そこで、デポジットの堆積量やデポジットの温度等のデポジットの状態を示すパラメータに応じて、ゼロ流量範囲上限値、下限値および最大流量範囲上限値、下限値を算出してもよい。
【図面の簡単な説明】
【００６６】
【図１】ＥＧＲ制御装置の構成を示す構成図である（実施例１）。
【図２】ＥＧＲ弁の構成、ならびにゼロ流量範囲および最大流量範囲の形成を示す構成図である（実施例１）。
【図３】ＥＧＲ開度とＥＧＲ流量との相関、ならびにゼロ流量範囲および最大流量範囲の形成を示す相関図である（実施例１）。
【図４】ＥＧＲ制御装置による処理手順を示すフローチャートである（実施例１）。
【図５】（ａ）はアクセル開度の検出値の推移を示すタイムチャートであり、（ｂ）はＥＧＲ開度の目標値の推移を示すタイムチャートであり、（ｃ）はＥＧＲ開度の検出値の推移を示すタイムチャートである（実施例１）。
【図６】ＥＧＲ制御装置による処理手順を示すフローチャートである（実施例２）。
【図７】（ａ）はアクセル開度の検出値の推移を示すタイムチャートであり、（ｂ）はＥＧＲ開度の目標値の推移を示すタイムチャートであり、（ｃ）は比例ゲインの算出値の推移を示すタイムチャートであり、（ｄ）は積分ゲインの算出値の推移を示すタイムチャートであり、（ｅ）はＥＧＲ開度の検出値の推移を示すタイムチャートである（実施例２）。
【符号の説明】
【００６７】
１  ＥＧＲ制御装置
２  エンジン
５  ＥＧＲ流路
６  ＥＧＲ弁（弁体）
７  ＥＧＲモータ（アクチュエータ）
８  制御手段
２０  軸部
２１  弁部
【図１】
0004706440.tif 000002
【図２】
0004706440.tif 000003
【図３】
0004706440.tif 000004
【図４】
0004706440.tif 000005
【図５】
0004706440.tif 000006
【図６】
0004706440.tif 000007
【図７】
0004706440.tif 000008